(57)【要約】【課題】購入者が茶を購入する度に茶葉に湯を注いで茶を入れるようにした茶の自動販売機を提供する。【解決手段】上下両端を開口すると共に下端開口部に濾し部（１３）を備えた急須（３ａ）をカップ（３ｂ）上に取り外し自在に嵌着してなる多数の急須・カップセット（３）と、一つの急須・カップセットを所定の位置に置くためのセッティング手段（５）と、茶葉を収納した多数の茶袋（７）と、一つの茶袋を該急須・カップセットにおける急須内に投入するための茶袋投入手段（９）と、該急須内に湯を注入するための湯注入手段（１１）とを備えさせ、購入者が始動操作を行なったときに、前記セッティング手段が一つの急須・カップセットを前記所定の位置に置き、前記茶袋投入手段が一つの茶袋を該急須・カップセットにおける急須内に投入し、続いて前記湯注入手段が該急須内に湯を注入するようになす。【選択図】　図１
2004094911.tif 000002
【特許請求の範囲】
【請求項１】
上下両端を開口すると共に下端開口部に濾し部を備えた急須をカップ上に取り外し自在に嵌着してなる多数の急須・カップセットと、一つの急須・カップセットを所定の位置に置くためのセッティング手段と、茶葉を収納した多数の茶袋と、一つの茶袋を当該所定の位置に置かれた急須・カップセットにおける急須内に投入するための茶袋投入手段と、当該所定の位置に置かれた急須・カップセットにおける急須内に湯を注入するための湯注入手段とを備えさせ、購入者が始動操作を行なったときに、前記セッティング手段が一つの急須・カップセットを前記所定の位置に置き、前記茶袋投入手段が一つの茶袋を該急須・カップセットにおける急須内に投入し、続いて前記湯注入手段が該急須・カップセットにおける急須内に湯を注入するようにしたことを特徴とする茶の自動販売機。
【請求項２】
それぞれ異なる種類の茶葉を収納した複数種の茶袋を備えさせ、購入者が所望の種類の茶葉を収納した茶袋を選択することができるようにしたことを特徴とする請求項１の茶の自動販売機。
【請求項３】
前記茶袋はティーバッグであることを特徴とする請求項１又は２の茶の自動販売機。
【請求項４】
前記茶袋投入手段が一つの茶袋を前記急須・カップセットにおける急須内に投入したときに、購入者が該茶袋を開封して該茶袋内の茶葉を該急須内に入れ、しかる後に前記湯注入手段が該急須・カップセットにおける急須内に湯を注入するようにしたことを特徴とする請求項１又は２の茶の自動販売機。
【請求項５】
多数の急須と、多数のカップと、それぞれ茶葉を収納した多数のティーバッグと、所定の位置に置かれた急須内に湯を注入するための湯注入手段とを備えさせ、
購入者が一つの急須と一つのカップと一つのティーバッグとを取り出し、購入者が該急須内に該ティーバッグを入れると共に該急須を前記所定の位置に置いた状態で始動操作を行なったときに前記湯注入手段が該急須内に湯を注入し、購入者が該急須内の茶湯を該カップに移してこれを飲用するようにしたことを特徴とする茶の自動販売機。
【請求項６】
多数の急須と、多数のカップと、それぞれ茶葉を収納した多数の茶袋と、所定の位置に置かれた急須内に湯を注入するための湯注入手段とを備えさせ、
購入者が一つの急須と一つのカップと一つの茶袋とを取り出し、購入者が該茶袋を開封して該茶袋内の茶葉を該急須内に入れると共に該急須を前記所定の位置に置いた状態で始動操作を行なったときに前記湯注入手段が該急須内に湯を注入し、購入者が該急須内の茶湯を該カップに移してこれを飲用するようにしたことを特徴とする茶の自動販売機。
【請求項７】
上下両端を開口すると共に下端開口部に濾し部を備えた急須をカップ上に取り外し自在に嵌着すると共に該急須内に茶葉を収納してなる多数の急須・カップセットと、該急須・カップセットにおける急須内に湯を注入するための湯注入手段とを備えさせ、
購入者が始動操作を行なったときに、一つの急須・カップセットが繰り出され、購入者が繰り出された急須・カップセットを所定の位置に置いた後、前記湯注入手段が該急須・カップセットにおける急須内に湯を注入するようにしたことを特徴とする茶の自動販売機。
【請求項８】
それぞれ異なる種類の茶葉を急須内に収納した複数種の急須・カップセットを備えさせ、購入者が所望の種類の茶葉を収納した急須・カップセットを選択することができるようにしたことを特徴とする請求項７の茶の自動販売機。
【請求項９】
上下両端を開口すると共に下端開口部に濾し部を備えた急須をカップ上に取り外し自在に嵌着すると共に該急須内には茶葉を収納した茶袋を備えてなる多数の急須・カップセットと、該急須・カップセットにおける急須内に湯を注入するための湯注入手段とを備えさせ、
購入者が始動操作を行なったときに、一つの急須・カップセットが繰り出され、購入者が繰り出された急須・カップセットを所定の位置に置いた後、前記湯注入手段が該急須・カップセットにおける急須内に湯を注入するようにしたことを特徴とする茶の自動販売機。
【請求項１０】
それぞれ異なる種類の茶葉を収納した茶袋を急須内に備えた複数種の急須・カップセットを備えさせ、購入者が所望の種類の茶葉を収納した急須・カップセットを選択することができるようにしたことを特徴とする請求項９の茶の自動販売機。
【発明の詳細な説明】
【０００１】
【発明の属する技術分野】
本発明は、緑茶等の茶の自動販売機に関するものであり、更に詳しくは、購入者（自動販売機の使用者）が茶を購入する度に茶葉に湯を注いで茶を入れるようにした茶の自動販売機に係るものである。
【０００２】
【従来の技術】
茶の自動販売機としては、飲用茶を予め缶又はボトルに詰めた状態で販売するようにしたものが広く使用されている。
【０００３】
【発明が解決しようとする課題】
上記従来の茶の自動販売機は極めて便利なものではあるものの、次のような問題がある。
【０００４】
（イ）予め工場で缶又はボトルに詰めた状態で自動販売機により販売される飲用茶は、飲用の直前に茶葉に湯を注いで立てた茶湯に比べて、茶の香り、風味等の面で遥かに劣る。
【０００５】
（ロ）予め工場で缶又はボトルに詰めた状態で自動販売機により販売される飲用茶を飲用する場合には、飲用の直前に茶葉に湯を注いで立てた茶湯独特の雰囲気や気分を味わうことができない。
【０００６】
このような状況に鑑み、本発明は、購入者が茶を購入する度に茶葉に湯を注いで茶を入れるようにした茶の自動販売機を提供しようとしてなされたものである。
【０００７】
【課題を解決するための手段】
上記課題を解決するために、本発明は下記の茶の自動販売機を提供するものである。
【０００８】
（１）上下両端を開口すると共に下端開口部に濾し部を備えた急須をカップ上に取り外し自在に嵌着してなる多数の急須・カップセットと、一つの急須・カップセットを所定の位置に置くためのセッティング手段と、茶葉を収納した多数の茶袋と、一つの茶袋を当該所定の位置に置かれた急須・カップセットにおける急須内に投入するための茶袋投入手段と、当該所定の位置に置かれた急須・カップセットにおける急須内に湯を注入するための湯注入手段とを備えさせ、
購入者が始動操作を行なったときに、前記セッティング手段が一つの急須・カップセットを前記所定の位置に置き、前記茶袋投入手段が一つの茶袋を該急須・カップセットにおける急須内に投入し、続いて前記湯注入手段が該急須・カップセットにおける急須内に湯を注入するようにしたことを特徴とする茶の自動販売機（請求項１）。
【０００９】
（２）それぞれ異なる種類の茶葉を収納した複数種の茶袋を備えさせ、購入者が所望の種類の茶葉を収納した茶袋を選択することができるようにする（請求項２）。
【００１０】
（３）前記茶袋はティーバッグである（請求項３）。
【００１１】
（４）前記茶袋投入手段が一つの茶袋を前記急須・カップセットにおける急須内に投入したときに、購入者が該茶袋を開封して該茶袋内の茶葉を該急須内に入れ、しかる後に前記湯注入手段が該急須・カップセットにおける急須内に湯を注入するようになす（請求項４）。
【００１２】
（５）多数の急須と、多数のカップと、それぞれ茶葉を収納した多数のティーバッグと、所定の位置に置かれた急須内に湯を注入するための湯注入手段とを備えさせ、
購入者が一つの急須と一つのカップと一つのティーバッグとを取り出し、購入者が該急須内に該ティーバッグを入れると共に該急須を前記所定の位置に置いた状態で始動操作を行なったときに前記湯注入手段が該急須内に湯を注入し、購入者が該急須内の茶湯を該カップに移してこれを飲用するようにしたことを特徴とする茶の自動販売機（請求項５）。
【００１３】
（６）多数の急須と、多数のカップと、それぞれ茶葉を収納した多数の茶袋と、所定の位置に置かれた急須内に湯を注入するための湯注入手段とを備えさせ、
購入者が一つの急須と一つのカップと一つの茶袋とを取り出し、購入者が該茶袋を開封して該茶袋内の茶葉を該急須内に入れると共に該急須を前記所定の位置に置いた状態で始動操作を行なったときに前記湯注入手段が該急須内に湯を注入し、購入者が該急須内の茶湯を該カップに移してこれを飲用するようにしたことを特徴とする茶の自動販売機（請求項６）。
【００１４】
（７）上下両端を開口すると共に下端開口部に濾し部を備えた急須をカップ上に取り外し自在に嵌着すると共に該急須内に茶葉を収納してなる多数の急須・カップセットと、該急須・カップセットにおける急須内に湯を注入するための湯注入手段とを備えさせ、
購入者が始動操作を行なったときに、一つの急須・カップセットが繰り出され、購入者が繰り出された急須・カップセットを所定の位置に置いた後、前記湯注入手段が該急須・カップセットにおける急須内に湯を注入するようにしたことを特徴とする茶の自動販売機（請求項７）。
【００１５】
（８）それぞれ異なる種類の茶葉を急須内に収納した複数種の急須・カップセットを備えさせ、購入者が所望の種類の茶葉を収納した急須・カップセットを選択することができるようにする（請求項８）
【００１６】
（９）上下両端を開口すると共に下端開口部に濾し部を備えた急須をカップ上に取り外し自在に嵌着すると共に該急須内には茶葉を収納した茶袋を備えてなる多数の急須・カップセットと、該急須・カップセットにおける急須内に湯を注入するための湯注入手段とを備えさせ、
購入者が始動操作を行なったときに、一つの急須・カップセットが繰り出され、購入者が繰り出された急須・カップセットを所定の位置に置いた後、前記湯注入手段が該急須・カップセットにおける急須内に湯を注入するようにしたことを特徴とする茶の自動販売機（請求項９）。
【００１７】
（１０）それぞれ異なる種類の茶葉を収納した茶袋を急須内に備えた複数種の急須・カップセットを備えさせ、購入者が所望の種類の茶葉を収納した急須・カップセットを選択することができるようにする（請求項１０）。
【００１８】
【作用】
［請求項１の茶の自動販売機］
湯注入手段が急須・カップセットにおける急須内に湯を注入することにより、該急須・カップセットにおける急須内とカップ内とに湯が溜まる。すると、該急須内の茶葉が湯に浸され、該茶葉から茶汁が出て茶湯ができ上がる。因みに、急須とカップとは急須の濾し手段を介して相互に連通している。茶湯ができ上がったとき、購入者は急須・カップセットにおける急須をカップから外し、カップ内の茶湯を飲むのである。
【００１９】
［請求項２の茶の自動販売機］
購入者は適宜のボタン操作等により所望の種類の茶葉を収納した茶袋を選択し、該茶袋に収納された茶葉による茶湯を飲む。
【００２０】
［請求項３の茶の自動販売機］
茶袋はそのまま湯に浸すことができるティーバッグであるため、茶袋投入手段が茶袋を急須・カップセットにおける急須内に投入した後、直ちに湯注入手段が該急須・カップセットにおける急須内に湯を注入する。
【００２１】
［請求項４の茶の自動販売機］
請求項４の自動販売機における茶袋はティーバッグではなく、そのまま湯に浸すことができないため、茶袋投入手段が該茶袋を急須・カップセットにおける急須内に投入したときに、購入者が該茶袋を開封して該茶袋内の茶葉を該急須内に入れ、しかる後に前記湯注入手段が該急須・カップセットにおける急須内に湯を注入する。請求項４の自動販売機における茶袋は、ティーバッグと異なり茶葉を完全に密閉することができる。従って、茶湯の香り、風味はより好ましいものとなる。
【００２２】
［請求項５の茶の自動販売機］
急須内のティーバッグに湯が注がれ、該ティーバッグ内の茶葉から茶汁が出て急須内にて茶湯が出来上がる。購入者は急須内の茶湯をカップに移してこれを飲用する。
【００２３】
［請求項６の茶の自動販売機］
請求項６の自動販売機における茶袋はティーバッグではなく、そのまま湯に浸すことができないため、購入者が茶袋を開封して該茶袋内の茶葉を該急須内に入れ、しかる後に前記湯注入手段が急須内に湯を注入するのである。請求項６の自動販売機における茶袋は、ティーバッグと異なり茶葉を完全に密閉することができる。従って、茶湯の香り、風味はより好ましいものとなる。
【００２４】
［請求項７の茶の自動販売機］
請求項７の茶の自動販売機においては、急須・カップセットの急須内に予め茶葉が収納されている。
【００２５】
［請求項８の茶の自動販売機］
請求項８の茶の自動販売機においては、購入者は所望の種類の茶葉を急須内に収納した急須・カップセットを選択することができる。
【００２６】
［請求項９の茶の自動販売機］
請求項９の茶の自動販売機においては、急須・カップセットの急須内には予め茶葉を収納した茶袋が備えされている。
【００２７】
［請求項１０の茶の自動販売機］
求項１０の茶の自動販売機においては、購入者は所望の種類の茶葉を収納した茶袋を急須内に備えた急須・カップセットを選択することができる。
【００２８】
【発明の実施の形態】
次に、本発明の実施の形態を添付図面に従って説明する。
【００２９】
まず、図１〜図４に示す事例について説明する。
符号１に示すものは自動販売機の本体である。本体１には、多数の急須・カップセット３、３…と、一つの急須・カップセット３を所定の位置Ａに置くためのセッティング手段５と、茶葉を収納した多数の茶袋７、７…と、一つの茶袋７を所定の位置Ａに置かれた急須・カップセット３における急須３ａ内に投入するための茶袋投入手段９と、当該所定の位置Ａに置かれた急須・カップセット３における急須３ａ内に湯を注入するための湯注入手段１１とを備えさせる。
【００３０】
各急須・カップセット３は上下両端を開口すると共に下端開口部に濾し部１３を備えた急須３ａをカップ３ｂ上に取り外し自在に嵌着してなるものである。濾し部１３は一例として網状体とする。
【００３１】
一つの急須・カップセット３を所定の位置Ａに置くためのセッティング手段５は、一例として、一対のアーム１５、１５により一つの急須・カップセット３を挟持させ、該急須・カップセット３を当該所定の位置Ａまで運ばせ、これを該位置Ａに置かせるようにしてなるものとする。符号１６に示すものは急須・カップセット３を当該所定の位置Ａに保持する保持手段である。図２参照。
【００３２】
茶葉を収納した茶袋７は、そのまま湯に浸すことができるティーバッグ７ａ（図８参照）、又は茶葉を完全に密閉し得るアルミニウム製等の袋体７ｂ（図９参照）とする。袋体７ｂの場合には、切断線１７にて該袋体７ｂを切断して茶葉を取り出す。
【００３３】
一つの茶袋７を所定の位置Ａに置かれた急須・カップセット３における急須３ａ内に投入するための茶袋投入手段９は、一例として図２に示すように、当該所定の位置Ａに置かれた急須・カップセット３における急須３ａ内に茶袋７を投入するに適したシュート１９を備えたホッパ２１と、該ホッパ２１内に茶袋７を送るコンベヤ等の送り手段２３とよりなるものである。
【００３４】
本体１がそれぞれ異なる種類の茶葉を収納した複数種の茶袋７、７…を備えている場合には、複数の送り手段２３、２３…を備えさせる。なお、図２に示す事例においては、二つのホッパ２１、２１が配設されている。
【００３５】
前記所定の位置Ａに置かれた急須・カップセット３における急須３ａ内に湯を注入するための湯注入手段１１はノズルより茶に適した温度（例えば６５〜７５℃）の湯を供給する。
【００３６】
自動販売機の本体１は、コイン投入口２５と札投入口２７とを備えている。購入者がコイン投入口２５にコインを投入し又は札投入口２７に札を投入すると共に例えば適宜のボタン操作を行なうことにより始動操作を行なったときに、前記セッティング手段５が一つの急須・カップセット３を前記所定の位置Ａに置き、前記茶袋投入手段９が一つの茶袋７を該急須・カップセット３における急須３ａ内に投入し、続いて前記湯注入手段１１が該急須・カップセット３における急須３ａ内に湯を注入するようになす。
【００３７】
図示の事例においては、本体１にはそれぞれ異なる種類の茶葉を収納した複数種の茶袋７、７…を備えさせ、購入者が所望の種類の茶葉を収納した茶袋７を選択することができるようにしている。本体１は茶葉の種類の対応する茶選択ボタン２８、２８…を備えており、購入者が所望の種類の茶葉を収納した茶袋７を選択する際には、所望の種類の茶葉に対応する一つの茶選択ボタン２８を押す。
【００３８】
各茶選択ボタン２８の近傍には当該茶葉を収納した茶袋７が存在することを示すＯＫランプ２９と当該茶葉を収納した茶袋７が売り切れたことを示す売り切れランプ３０とが配設されている。
【００３９】
更に、本体１には、販売可能状態を示す青色ランプ３１と販売不能状態を示す赤色ランプ３２とが配設されている。例えば、購入者がコイン投入口２５にコインを投入し又は札投入口２７に札を投入すると、青色ランプ３１が点灯する。また、例えば湯注入手段１１のタンクが空になったときには、赤色ランプ３２が点灯する。
【００４０】
符号３３に示すものは、使用済みの茶袋７（茶殻）を回収するための茶殻回収部、符号３５に示すものは使用済みの急須３ａを回収するための急須回収部、符号３７に示すものは使用済みのカップ３ｂを回収するためのカップ回収部である。購入者は茶を飲んだ後、使用済みの茶袋７（茶殻）と急須３ａとカップ３ｂとをそれぞれ茶殻回収部３３と急須回収部３５とカップ回収部３７とに投入する。なお、符号３４に示すものはメッシュ、符号３６は防湿穴、符号３８はファンである。
【００４１】
次に、図５〜図７に示す事例について説明する。
自動販売機の本体４１には、多数の急須４３、４３…と、多数のカップ４５、４５…と、それぞれ茶葉を収納した多数のティーバッグ４７、４７…と、所定の位置Ｂに置かれた急須４３内に湯を注入するための湯注入手段４９とを備えさせる。
【００４２】
図示の事例においては、多数の急須４３、４３…と、多数のカップ４５、４５…とを引出し５１に収納し、多数のティーバッグ４７、４７…を引出し５３に収納している。
【００４３】
湯注入手段４９はノズルより茶に適した温度（例えば６５〜７５℃）の湯を供給する。図示の湯注入手段４９はスタートボタン５５と売り切れボタン５７とコイン投入口５９とを備えている。
【００４４】
購入者が一つの急須４３と一つのカップ４５と一つのティーバッグ７ａとを取り出し、購入者が該急須４３内に該ティーバッグ７ａを入れると共に該急須４３を前記所定の位置Ｂに置いた状態で始動操作を行なったときに前記湯注入手段４９が該急須４３内に湯を注入し、購入者が該急須４３内の茶湯を該カップ４５に移してこれを飲用するようになす。始動操作は例えばコイン投入口５９にコインを投入すると共にスタートボタン５５を押すことにより行なう。
【００４５】
ティーバッグ７ａ（図８参照）はそのまま湯に浸すことができるのであるが、このようなティーバッグ７ａに代えて茶葉を完全に密閉し得るアルミニウム製等の袋体７ｂ（図９参照）を使用してもよい。袋体７ｂの場合には、切断線１７にて該袋体７ｂを切断して茶葉を取り出して急須４３内に入れる。
【００４６】
符号６１に示すものは、使用済みのティーバッグ７ａないし茶袋７ｂ（茶殻）を回収するための茶殻回収部、符号６３に示すものは使用済みの急須４３を回収するための急須回収部、符号６５に示すものは使用済みのカップ４５を回収するためのカップ回収部である。購入者は茶を飲んだ後、使用済みのティーバッグ７ａないし茶袋７ｂ（茶殻）と急須４３とカップ４５とをそれぞれ茶殻回収部６１と急須回収部６３とカップ回収部６５とに投入する。
【００４７】
符号６７に示すものは本体４１に対し出し入れ自在に配設されたテーブルである。
【００４８】
次に、図１０〜図１２に示す事例について説明する。
自動販売機の本体７１には、急須３ａ内に予め茶葉又は茶葉を収納した茶袋７を備えている多数の急須・カップセット３、３・・・と、該急須・カップセット３、３・・・における急須３ａ内に湯を注入するための湯注入手段１１とを備えさせる。
【００４９】
茶袋７は、前記のティーバッグ７ａ又は袋体７ｂとする。
【００５０】
購入者がコイン投入口７３にコインを投入する等の始動操作を行なったときに、一つの急須・カップセット３が繰り出され、購入者が繰り出された急須・カップセット３を一例として図１０に示す所定の位置Ｃに置いた後、例えば購入者がＯＫボタン７９を押すことにより、又は自動的に、湯注入手段１１が該急須・カップセット３における急須３ａ内に湯を注入するようになす。湯注入手段１１はノズルより茶に適した温度（例えば６５〜７５℃）の湯を供給する。
【００５１】
自動販売機の本体７１には、それぞれ異なる種類の茶葉を急須３ａ内に収納した複数種の急須・カップセット３、３・・・又はそれぞれ異なる種類の茶葉を収納した茶袋７を急須３ａ内に備えた複数種の急須・カップセット３、３・・・を備えさせ、購入者が所望の種類の茶葉を収納した急須・カップセット３を選択することができるようにすることが望ましい。
【００５２】
図１０に示す自動販売機の本体７１は、それぞれ異なる種類の茶葉を急須３ａ内に収納した１０種類の急須・カップセット３、３・・・又はそれぞれ異なる種類の茶葉を収納した茶袋７を急須３ａ内に備えた１０種類の急須・カップセット３、３・・・を備えている。
【００５３】
図１０において、符号７５ａ〜７５ｊに示すものは、それぞれ異なる種類の茶葉を急須３ａ内に収納した急須・カップセット３、３・・・又はそれぞれ異なる種類の茶葉を収納した茶袋７を急須３ａ内に備えた急須・カップセット３、３・・・の取出し口であり、符号７７ａ〜７７ｊに示すものは、茶葉の種類を示すランプである。この事例においては、購入者が所望の種類の茶葉を収納した急須・カップセット３を選択する際には、点灯しているいずれかのランプ７７ａ〜７７ｊを押すようにしてもよい。また、各取出し口７５ａ〜７５ｊには茶の生産地、生産者等を写真等により表示してもよい。
【００５４】
図１０において、符号８１に示すものは使用済みの急須・カップセット３、３・・・を回収するための急須・カップセット回収部である。
【００５５】
図１１においては、急須・カップセット３、３・・・は複数の通路８３、８３・・・を経て取出し口７５に供給される。
【００５６】
図１２においては、各通路８３は緩やかに傾斜させ、該各通路８３には一例として急須・カップセット３、３・・・を送るためのローラー８５、８５・・・を配設している。
【００５７】
【発明の効果】
以上説明したように、本発明による茶の自動販売機においては、購入者が茶を購入する度に茶葉に湯を注いで茶を入れるようにしている。換言すれば、飲用の直前に茶葉に湯を注いで茶湯を立てるようにしている。従って、このような茶湯は、予め工場で缶又はボトルに詰めた状態で自動販売機により販売される飲用茶に比べて、茶の香り、風味等の面で遥かに好ましいものである。また、本発明による茶の自動販売機においては、飲用の直前に茶葉に湯を注いで立てた茶湯独特の雰囲気や気分を味わうことができる。
【図面の簡単な説明】
【図１】本発明による茶の自動販売機の一例を示す斜視図である。
【図２】同上自動販売機における茶袋投入手段等を概略的に示す説明図である。
【図３】急須・カップセットの一例を示す斜視図である。
【図４】同上急須・カップセットの断面図である。
【図５】本発明による茶の自動販売機の別の一例を示す斜視図である。
【図６】同上自動販売機における一つの引出しを示す平面図である。
【図７】同上自動販売機における別の引出しを示す平面図である。
【図８】ティーバッグの一例を示す斜視図である。
【図９】袋体の一例を示す斜視図である。
【図１０】本発明による茶の自動販売機の更に別の一例を示す正面図である。
【図１１】急須・カップセットの通路等を示す断面図である。
【図１２】急須・カップセットの通路を概略的に示す側面図である。
【符号の説明】
１　自動販売機の本体
３　急須・カップセット
３ａ　急須
３ｂ　カップ
５　セッティング手段
７　茶袋
７ａ　ティーバッグ
７ｂ　袋体
９　茶袋投入手段
１１　湯注入手段
１３　濾し部
１５　アーム
１６　保持手段
１７　切断線
１９　シュート
２１　ホッパ
２３　送り手段
２５　コイン投入口
２７　札投入口
２８　茶選択ボタン
２９　ＯＫランプ
３０　売り切れランプ
３１　青色ランプ
３２　赤色ランプ
３３　茶殻回収部
３４　メッシュ
３５　急須回収部
３６　防湿穴
３７　カップ回収部
３８　ファン
４１　自動販売機の本体
４３　急須
４５　カップ
４７　ティーバッグ
４９　湯注入手段
５１　引出し
５３　引出し
５５　スタートボタン
５７　売り切れボタン
５９　コイン投入口
６１　茶殻回収部
６３　急須回収部
６５　カップ回収部
６７　テーブル
７１　自動販売機の本体
７３　コイン投入口
７５　取出し口
７７　ランプ
７９　ＯＫボタン
８１　急須・カップセット回収部
８３　通路
８５　ローラー
【図１】
2004094911.tif 000003
【図２】
2004094911.tif 000004
【図３】
2004094911.tif 000005
【図４】
2004094911.tif 000006
【図５】
2004094911.tif 000007
【図６】
2004094911.tif 000008
【図７】
2004094911.tif 000009
【図８】
2004094911.tif 000010
【図９】
2004094911.tif 000011
【図１０】
2004094911.tif 000012
【図１１】
2004094911.tif 000013
【図１２】
2004094911.tif 000014